【手続補正書】
【提出日】平成16年2月19日(2004.2.19)
【手続補正１】
【補正対象書類名】明細書
【補正対象項目名】特許請求の範囲
【補正方法】変更
【補正の内容】
【特許請求の範囲】
【請求項１】
送信の対象とするデータのビットクロックよりも速い伝送速度を有する送信クロックに基づき第１の変調コードを生成し、該データの各ビットに該第１の変調コードを乗算してコード変調信号を生成するコード変調手段と、
該コード変調手段より送信されるコード変調信号を受信し、該受信したコード変調信号から前記ビットクロックと同じ伝送速度を有する受信クロックを抽出するクロック抽出部と、
該クロック抽出部から抽出された受信クロックに基づき前記第１の変調コードと同等の第２の変調コードを生成し、前記の受信したコード変調信号に該第２の変調コードを乗算して前記データを復元するコード復調手段とを備えることを特徴とするデータ通信システム。
【請求項２】
送信の対象とするデータのビットクロックの任意の整数倍の伝送速度を有する送信クロックに基づき、周波数帯域が拡散された疑似ランダムパルスからなる送信用の周期的コードを生成する送信用疑似ランダムパルス発生器と、
該データの各ビットに該送信用の周期的コードを乗算してコード変調信号を生成するための送信用乗算器と、
該コード変調信号を受信し、該受信したコード変調信号から前記ビットクロックと同じ伝送速度を有する受信クロックを抽出する受信クロック抽出回路部と、
該受信クロック抽出回路部から抽出される受信クロックに基づき、前記送信用の周期的コードと同等の疑似ランダムパルスからなる受信用の周期的コードを生成する受信用疑似ランダムパルス発生器と、
前記の受信したコード変調信号に該受信用の周期的コードを乗算して前記データを復元するための受信用乗算器とを備えることを特徴とするデータ通信システム。
【請求項３】
送信の対象とするデータのビットクロックよりも速い伝送速度を有する送信クロックに基づき、周波数帯域が拡散された疑似ランダムパルスからなる送信用の周期的コードを生成する送信用疑似ランダムパルス発生器と、
該データの各ビットに該送信用の周期的コードを乗算してコード変調信号を生成するための送信用乗算器と、
該コード変調信号を受信し、該受信したコード変調信号から前記ビットクロックと同じ伝送速度を有する受信クロックを抽出する受信クロック抽出回路部と、
該受信クロック抽出回路部から抽出される受信クロックに基づき、前記送信用の周期的コードと同等の疑似ランダムパルスからなる受信用の周期的コードを生成する受信用疑似ランダムパルス発生器と、
前記の受信したコード変調信号に該受信用の周期的コードを乗算して前記データを復元するための受信用乗算器とを備えることを特徴とするデータ通信システム。
【請求項４】
送信の対象とするデータのビットクロックよりも速い伝送速度を有する送信クロックに基づき、周波数帯域が拡散された疑似ランダムパルスからなる送信用の周期的コードを生成する送信用疑似ランダムパルス発生器と、
該データの複数ビット毎に該送信用の周期的コードを乗算してコード変調信号を生成するための送信用乗算器と、
該コード変調信号を受信し、該受信したコード変調信号から前記ビットクロックと同じ伝送速度を有する受信クロックを抽出する受信クロック抽出回路部と、
該受信クロック抽出回路部から抽出される受信クロックに基づき、前記送信用の周期的コードと同等の疑似ランダムパルスからなる受信用の周期的コードを生成する受信用疑似ランダムパルス発生器と、
前記の受信したコード変調信号に該受信用の周期的コードを乗算して前記データを復元するための受信用乗算器とを備えることを特徴とするデータ通信システム。
【請求項５】
送信の対象とするデータのビットクロックの任意の整数倍の伝送速度を有する送信クロックに基づき、周波数帯域が拡散された送信用の非周期的コードを生成する送信用コード発生器と、
該データの各ビットに該送信用の非周期的コードを乗算してコード変調信号を生成するための送信用乗算器と、
該コード変調信号を受信し、該受信したコード変調信号から前記ビットクロックと同じ伝送速度を有する受信クロックを抽出する受信クロック抽出回路部と、
該受信クロック抽出回路部から抽出される受信クロックに基づき、前記送信用の非周期的コードと同等の受信用の非周期的コードを生成する受信用コード発生器と、
前記の受信したコード変調信号に該受信用の非周期的コードを乗算して前記データを復元するための受信用乗算器とを備えることを特徴とするデータ通信システム。
【請求項６】
送信の対象とするデータのビットクロックよりも速い伝送速度を有する送信クロックに基づき、周波数帯域が拡散された送信用の非周期的コードを生成する送信用コード発生器と、
該データの複数ビット毎に該送信用の非周期的コードを乗算してコード変調信号を生成するための送信用乗算器と、
該コード変調信号を受信し、該受信したコード変調信号から前記ビットクロックと同じ伝送速度を有する受信クロックを抽出する受信クロック抽出回路部と、
該受信クロック抽出回路部から抽出される受信クロックに基づき、前記送信用の周期的コードと同等の受信用の非周期的コードを生成する受信用コード発生器と、
前記の受信したコード変調信号に該受信用の非周期的コードを乗算して前記データを復元するための受信用乗算器とを備えることを特徴とするデータ通信システム。
【請求項７】
送信の対象とする複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数種のビットクロック、および前記複数種の送信クロックの同期をとることなく、前記複数種のコード変調信号を重ねて送信することを特徴とするデータ通信システム。
【請求項８】
送信の対象とする複数種のデータにそれぞれ対応する複数種のビットクロックよりも速い伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数種のビットクロック、および前記複数種の送信クロックの同期をとることなく、前記複数種のコード変調信号を重ねて送信することを特徴とするデータ通信システム。
【請求項９】
送信の対象とする複数種のデータにそれぞれ対応する複数種のビットクロックよりも速い伝送速度を有する複数種の送信クロックに基づき、周波数帯域が拡散された複数種の送信用の非周期的コードをそれぞれ生成する複数種の送信用コード発生器と、
該複数種のデータの各ビットに該複数種の送信用の非周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の非周期的コードと同等の受信用の非周期的コードを生成する受信用コード発生器と、
前記の受信した複数種のコード変調信号の各々に該受信用の非周期的コードを乗算して前記複数種のデータの各々を復元するための受信用乗算器とを備え、
前記複数種のビットクロック、および前記複数種の送信クロックの同期をとることなく、前記複数種のコード変調信号を重ねて送信することを特徴とするデータ通信システム。
【請求項１０】
送信の対象とする複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数種のビットクロック、および前記複数種の送信クロックの少なくとも一方の各々の位相を他の位相から所定の値だけずらすことにより、前記複数種のコード変調信号を重ねて送信することを特徴とするデータ通信システム。
【請求項１１】
送信の対象とする複数種のデータにそれぞれ対応する複数種のビットクロックよりも速い伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数種のビットクロック、および前記複数種の送信クロックの少なくとも一方の各々の位相を他の位相から所定の値だけずらすことにより、前記複数種のコード変調信号を重ねて送信することを特徴とするデータ通信システム。
【請求項１２】
送信の対象とする複数種のデータにそれぞれ対応する複数種のビットクロックよりも速い伝送速度を有する複数種の送信クロックに基づき、周波数帯域が拡散された複数種の送信用の非周期的コードをそれぞれ生成する複数種の送信用コード発生器と、
該複数種のデータの各ビットに該複数種の送信用の非周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の非周期的コードと同等の受信用の非周期的コードを生成する受信用コード発生器と、
前記の受信した複数種のコード変調信号の各々に該受信用の非周期的コードを乗算して前記複数種のデータの各々を復元するための受信用乗算器とを備え、
前記複数種のビットクロック、および前記複数種の送信クロックの少なくとも一方の各々の位相を他の位相から所定の値だけずらすことにより、前記複数種のコード変調信号を重ねて送信することを特徴とするデータ通信システム。
【請求項１３】
ネットワークを構成する複数の分岐点において、
送信の対象とする複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とが設けられ、
前記複数の分岐点に対し前記複数種の送信用の周期的コードをそれぞれ割り当て、該分岐点毎に対応する前記周期的コードの内容および位相を予め変えておくことを特徴とするデータ通信システム。
【請求項１４】
ネットワークを構成する複数の分岐点において、
送信の対象とする複数種のデータにそれぞれ対応する複数種のビットクロックよりも速い伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の受信用の非周期的コードを生成する受信用コード発生器と、
前記の受信した複数種のコード変調信号の各々に該受信用の周期的コードを乗算して前記複数種のデータの各々を復元するための受信用乗算器とが設けられ、
前記複数の分岐点に対し前記複数種の送信用の周期的コードをそれぞれ割り当て、該分岐点毎に対応する前記周期的コードの内容および位相を予め変えておくことを特徴とするデータ通信システム。
【請求項１５】
ネットワークを構成する複数の分岐点において、
送信の対象とする複数種のデータにそれぞれ対応する複数種のビットクロックよりも速い伝送速度を有する複数種の送信クロックに基づき、周波数帯域が拡散された複数種の送信用の非周期的コードをそれぞれ生成する複数種の送信用コード発生器と、
該複数種のデータの各ビットに該複数種の送信用の非周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の非周期的コードと同等の受信用の非周期的コードを生成する受信用コード発生器と、
前記の受信した複数種のコード変調信号の各々に該受信用の非周期的コードを乗算して前記複数種のデータの各々を復元するための受信用乗算器とが設けられ、
前記複数の分岐点に対し前記複数種の送信用の非周期的コードをそれぞれ割り当て、該分岐点毎に対応する前記非周期的コードの内容および位相を予め変えておくことを特徴とするデータ通信システム。
【請求項１６】
ネットワークを構成する複数の分岐点において、
送信の対象とする複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とが設けられ、
前記複数の分岐点中の全ての分岐点または多くの分岐点を通過する共通の周期的コードを割り当てることを特徴とするデータ通信システム。
【請求項１７】
ネットワークを構成する複数の分岐点において、
送信の対象とする送信の対象とする複数種のデータにそれぞれ対応する複数種のビットクロックよりも速い伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とが設けられ、
前記複数の分岐点中の全ての分岐点または多くの分岐点を通過する共通の周期的コードを割り当てることを特徴とするデータ通信システム。
【請求項１８】
ネットワークを構成する複数の分岐点において、
送信の対象とする複数種のデータにそれぞれ対応する複数種のビットクロックよりも速い伝送速度を有する複数種の送信クロックに基づき、周波数帯域が拡散された複数種の送信用の非周期的コードをそれぞれ生成する複数種の送信用コード発生器と、
該複数種のデータの各ビットに該複数種の送信用の非周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の非周期的コードと同等の受信用の非周期的コードを生成する受信用コード発生器と、
前記の受信した複数種のコード変調信号の各々に該受信用の非周期的コードを乗算して前記複数種のデータの各々を復元するための受信用乗算器とが設けられ、
前記複数の分岐点中の全ての分岐点または多くの分岐点を通過する共通の非周期的コードを割り当てることを特徴とするデータ通信システム。
【請求項１９】
ネットワークを構成する複数の分岐点に接続され、かつ、相互に複数種のデータの送信および受信を行う複数のデータ通信部と、該複数のデータ通信部の各々を制御する一つの中央制御部とを有するデータ通信システムにおいて、
該複数のデータ通信部の各々は、
送信の対象とする該複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数の分岐点に対し前記複数種の送信用の周期的コードをそれぞれ割り当て、該分岐点毎に対応する前記周期的コードの内容および位相を予め変えておき、
前記中央制御部から目的のアドレスを前記複数の分岐点に送付し、該アドレスと一致したアドレスを有する前記周期的コードが割り当てられた分岐点に接続されるデータ通信部によって、前記データの送信および受信が行われることを特徴とするデータ通信システム。
【請求項２０】
ネットワークを構成する複数の分岐点に接続され、かつ、相互に複数種のデータの送信および受信を行う複数のデータ通信部と、該複数のデータ通信部の各々を制御する一つの中央制御部とを有するデータ通信システムにおいて、
該複数のデータ通信部の各々は、
送信の対象とする該複数種のデータにそれぞれ対応する複数種のビットクロックよりも速い伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数の分岐点に対し前記複数種の送信用の周期的コードをそれぞれ割り当て、該分岐点毎に対応する前記周期的コードの内容および位相を予め変えておき、
前記中央制御部から目的のアドレスを前記複数の分岐点に送付し、該アドレスと一致したアドレスを有する前記周期的コードが割り当てられた分岐点に接続されるデータ通信部によって、前記データの送信および受信が行われることを特徴とするデータ通信システム。
【請求項２１】
ネットワークを構成する複数の分岐点に接続され、かつ、相互に複数種のデータの送信および受信を行う複数のデータ通信部と、該複数のデータ通信部の各々を制御する一つの中央制御部とを有するデータ通信システムにおいて、
該複数のデータ通信部の各々は、
送信の対象とする該複数種のデータにそれぞれ対応する複数種のビットクロックよりも速い伝送速度を有する複数種の送信クロックに基づき、周波数帯域が拡散された複数種の送信用の非周期的コードをそれぞれ生成する複数種の送信用コード発生器と、
該複数種のデータの各ビットに該複数種の送信用の非周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の非周期的コードと同等の受信用の非周期的コードを生成する受信用コード発生器と、
前記の受信した複数種のコード変調信号の各々に該受信用の非周期的コードを乗算して前記複数種のデータの各々を復元するための受信用乗算器とを備え、
前記複数の分岐点に対し前記複数種の送信用の非周期的コードをそれぞれ割り当て、該分岐点毎に対応する前記非周期的コードの内容および位相を予め変えておき、
前記中央制御部から目的のアドレスを前記複数の分岐点に送付し、該アドレスと一致したアドレスを有する前記非周期的コードが割り当てられた分岐点に接続されるデータ通信部によって、前記データの送信および受信が行われることを特徴とするデータ通信システム。
【請求項２２】
ネットワークを構成する複数の分岐点に接続され、かつ、相互に複数種のデータの送信および受信を行う複数のデータ通信部と、該複数のデータ通信部の各々を制御する一つの中央制御部とを有するデータ通信システムにおいて、
該複数のデータ通信部の各々は、
送信の対象とする該複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数の分岐点中の全ての分岐点または多くの分岐点を通過する共通の周期的コードを割り当て、
前記中央制御部から目的のアドレスを前記複数の分岐点に送付し、該アドレスと一致したアドレスを有する前記共通の周期的コードが割り当てられた分岐点に接続されるデータ通信部によって、前記データの送信および受信が行われることを特徴とするデータ通信システム。
【請求項２３】
ネットワークを構成する複数の分岐点に接続され、かつ、相互に複数種のデータの送信および受信を行う複数のデータ通信部と、該複数のデータ通信部の各々を制御する一つの中央制御部とを有するデータ通信システムにおいて、
該複数のデータ通信部の各々は、
送信の対象とする該複数種のデータにそれぞれ対応する複数種のビットクロックよりも速い伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数の分岐点中の全ての分岐点または多くの分岐点を通過する共通の周期的コードを割り当て、
前記中央制御部から目的のアドレスを前記複数の分岐点に送付し、該アドレスと一致したアドレスを有する前記共通の周期的コードが割り当てられた分岐点に接続されるデータ通信部によって、前記データの送信および受信が行われることを特徴とするデータ通信システム。
【請求項２４】
ネットワークを構成する複数の分岐点に接続され、かつ、相互に複数種のデータの送信および受信を行う複数のデータ通信部と、該複数のデータ通信部の各々を制御する一つの中央制御部とを有するデータ通信システムにおいて、
該複数のデータ通信部の各々は、
送信の対象とする該複数種のデータにそれぞれ対応する複数種のビットクロックよりも速い伝送速度を有する複数種の送信クロックに基づき、周波数帯域が拡散された複数種の送信用の非周期的コードをそれぞれ生成する複数種の送信用コード発生器と、
該複数種のデータの各ビットに該複数種の送信用の非周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の非周期的コードと同等の受信用の非周期的コードを生成する受信用コード発生器と、
前記の受信した複数種のコード変調信号の各々に該受信用の非周期的コードを乗算して前記複数種のデータの各々を復元するための受信用乗算器とを備え、
前記複数の分岐点中の全ての分岐点または多くの分岐点を通過する共通の非周期的コードを割り当て、
前記中央制御部から目的のアドレスを前記複数の分岐点に送付し、該アドレスと一致したアドレスを有する前記非周期的コードが割り当てられた分岐点に接続されるデータ通信部によって、前記データの送信および受信が行われることを特徴とするデータ通信システム。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
さらに、本発明の第１の実施態様において、本発明のデータ通信システムは、送信の対象とするデータのビットクロックの任意の整数倍の伝送速度を有する送信クロックに基づき、周波数帯域が拡散された疑似ランダムパルスからなる送信用の周期的コードを生成する送信用疑似ランダムパルス発生器と、上記データの各ビットに上記送信用の周期的コードを乗算してコード変調信号を生成するための送信用乗算器と、上記コード変調信号を受信し、上記の受信したコード変調信号から上記ビットクロックと同じ伝送速度を有する受信クロックを抽出する受信クロック抽出回路部と、この受信クロック抽出回路部から抽出される受信クロックに基づき、上記送信用の周期的コードと同等の疑似ランダムパルスからなる受信用の周期的コードを生成する受信用疑似ランダムパルス発生器と、上記の受信したコード変調信号に上記受信用の周期的コードを乗算して上記データを復元するための受信用乗算器と、上記の復元されたデータと上記受信用の周期的コードとの同期化を行い、上記データとのコード同期がとれた受信データを出力するための受信データ同期回路部とを具備する。


【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【手続補正７】
【補正対象書類名】明細書
【補正対象項目名】００３１
【補正方法】削除
【補正の内容】
【手続補正８】
【補正対象書類名】明細書
【補正対象項目名】００３２
【補正方法】削除
【補正の内容】
【手続補正９】
【補正対象書類名】明細書
【補正対象項目名】００３３
【補正方法】削除
【補正の内容】
【手続補正１０】
【補正対象書類名】明細書
【補正対象項目名】００３４
【補正方法】削除
【補正の内容】
【手続補正１１】
【補正対象書類名】明細書
【補正対象項目名】００３５
【補正方法】削除
【補正の内容】
【手続補正１２】
【補正対象書類名】明細書
【補正対象項目名】００３６
【補正方法】削除
【補正の内容】
【手続補正１３】
【補正対象書類名】明細書
【補正対象項目名】００３７
【補正方法】削除
【補正の内容】
【手続補正１４】
【補正対象書類名】明細書
【補正対象項目名】００３８
【補正方法】変更
【補正の内容】
【００３８】
さらにまた、上記の第１０の実施態様によるデータ通信システムは、複数種の送信クロックの伝送速度が、送信の対象とするデータのビットクロックよりも速くかつ上記ビットクロックの任意の整数倍の伝送速度を有していない場合にも適用される。


【手続補正１５】
【補正対象書類名】明細書
【補正対象項目名】０１２５
【補正方法】変更
【補正の内容】
【０１２５】
さらにまた、上記の第１０の実施例によれば、複数種の送信クロックの伝送速度が、送信の対象とするデータのビットクロックよりも速くかつ上記ビットクロックの任意の整数倍の伝送速度を有していない場合にも適用される。
さらにまた、上記の第１０の実施例によるデータ通信システムは、上記の周期的コードの代わりに非周期的コードを使用してデータの変調や復調を行う場合にも適用される。
（付記１）  送信の対象とするデータのビットクロックよりも速い伝送速度を有する送信クロックに基づき第１の変調コードを生成し、該データの各ビットに該第１の変調コードを乗算してコード変調信号を生成するコード変調手段と、
該コード変調手段より送信されるコード変調信号を受信し、該受信したコード変調信号から前記ビットクロックと同じ伝送速度を有する受信クロックを抽出するクロック抽出部と、
該クロック抽出部から抽出された受信クロックに基づき前記第１の変調コードと同等の第２の変調コードを生成し、前記の受信したコード変調信号に該第２の変調コードを乗算して前記データを復元するコード復調手段とを備えることを特徴とするデータ通信システム。
（付記２）  前記コード変調手段が、前記第１の変調コードとして、前記送信クロックに基づき周波数帯域が拡散された第１の拡散コードを生成する第１の拡散コード生成部と、該データの各ビットに該第１の拡散コードを乗算して前記データの周波数スペクトラム拡散を行うための第１の乗算部とを有する付記１記載のデータ通信システム。
（付記３）  前記コード復調手段が、前記第２の変調コードとして、前記クロック抽出部から抽出された受信クロックに基づき前記第１の拡散コードと同等の第２の拡散コードを生成する第２の拡散コード生成部と、前記の受信したコード変調信号に該第２の拡散コードを乗算して前記データを復元するための第２の乗算部とを有する付記１記載のデータ通信システム。
（付記４）  前記データ通信システムが、さらに、前記コード復調手段により復元されるデータと前記第２の変調コードとの同期化を行い、該データとのコード同期がとれた受信データを出力するための受信データ同期部を備える付記１記載のデータ通信システム。
（付記５）  送信の対象とするデータのビットクロックの任意の整数倍の伝送速度を有する送信クロックに基づき、周波数帯域が拡散された疑似ランダムパルスからなる送信用の周期的コードを生成する送信用疑似ランダムパルス発生器と、
該データの各ビットに該送信用の周期的コードを乗算してコード変調信号を生成するための送信用乗算器と、
該コード変調信号を受信し、該受信したコード変調信号から前記ビットクロックと同じ伝送速度を有する受信クロックを抽出する受信クロック抽出回路部と、
該受信クロック抽出回路部から抽出される受信クロックに基づき、前記送信用の周期的コードと同等の疑似ランダムパルスからなる受信用の周期的コードを生成する受信用疑似ランダムパルス発生器と、
前記の受信したコード変調信号に該受信用の周期的コードを乗算して前記データを復元するための受信用乗算器とを備えることを特徴とするデータ通信システム。
（付記６）  前記データ通信システムが、さらに、前記の復元されたデータと前記受信用の周期的コードとの同期化を行い、該データとのコード同期がとれた受信データを出力するための受信データ同期回路部を備える付記５記載のデータ通信システム。
（付記７）  送信の対象とするデータのビットクロックよりも速い伝送速度を有する送信クロックに基づき、周波数帯域が拡散された疑似ランダムパルスからなる送信用の周期的コードを生成する送信用疑似ランダムパルス発生器と、
該データの各ビットに該送信用の周期的コードを乗算してコード変調信号を生成するための送信用乗算器と、
該コード変調信号を受信し、該受信したコード変調信号から前記ビットクロックと同じ伝送速度を有する受信クロックを抽出する受信クロック抽出回路部と、
該受信クロック抽出回路部から抽出される受信クロックに基づき、前記送信用の周期的コードと同等の疑似ランダムパルスからなる受信用の周期的コードを生成する受信用疑似ランダムパルス発生器と、
前記の受信したコード変調信号に該受信用の周期的コードを乗算して前記データを復元するための受信用乗算器とを備えることを特徴とするデータ通信システム。
（付記８）  前記データ通信システムが、さらに、前記の復元されたデータと前記受信用の周期的コードとの同期化を行い、該データとのコード同期がとれた受信データを出力するための受信データ同期回路部を備える付記７記載のデータ通信システム。
（付記９）  送信の対象とするデータのビットクロックよりも速い伝送速度を有する送信クロックに基づき、周波数帯域が拡散された疑似ランダムパルスからなる送信用の周期的コードを生成する送信用疑似ランダムパルス発生器と、
該データの複数ビット毎に該送信用の周期的コードを乗算してコード変調信号を生成するための送信用乗算器と、
該コード変調信号を受信し、該受信したコード変調信号から前記ビットクロックと同じ伝送速度を有する受信クロックを抽出する受信クロック抽出回路部と、
該受信クロック抽出回路部から抽出される受信クロックに基づき、前記送信用の周期的コードと同等の疑似ランダムパルスからなる受信用の周期的コードを生成する受信用疑似ランダムパルス発生器と、
前記の受信したコード変調信号に該受信用の周期的コードを乗算して前記データを復元するための受信用乗算器とを備えることを特徴とするデータ通信システム。
（付記１０）  前記データ通信システムが、さらに、前記の復元されたデータと前記受信用の周期的コードとの同期化を行い、該データとのコード同期がとれた受信データを出力するための受信データ同期回路部を備える付記９記載のデータ通信システム。
（付記１１）  送信の対象とするデータのビットクロックの任意の整数倍の伝送速度を有する送信クロックに基づき、周波数帯域が拡散された送信用の非周期的コードを生成する送信用コード発生器と、
該データの各ビットに該送信用の非周期的コードを乗算してコード変調信号を生成するための送信用乗算器と、
該コード変調信号を受信し、該受信したコード変調信号から前記ビットクロックと同じ伝送速度を有する受信クロックを抽出する受信クロック抽出回路部と、
該受信クロック抽出回路部から抽出される受信クロックに基づき、前記送信用の非周期的コードと同等の受信用の非周期的コードを生成する受信用コード発生器と、
前記の受信したコード変調信号に該受信用の非周期的コードを乗算して前記データを復元するための受信用乗算器とを備えることを特徴とするデータ通信システム。
（付記１２）  前記データ通信システムが、さらに、前記の復元されたデータと前記受信用の非周期的コードとの同期化を行い、該データとのコード同期がとれた受信データを出力するための受信データ同期回路部を備える付記１１記載のデータ通信システム。
（付記１３）  送信の対象とするデータのビットクロックよりも速い伝送速度を有する送信クロックに基づき、周波数帯域が拡散された送信用の非周期的コードを生成する送信用コード発生器と、
該データの複数ビット毎に該送信用の非周期的コードを乗算してコード変調信号を生成するための送信用乗算器と、
該コード変調信号を受信し、該受信したコード変調信号から前記ビットクロックと同じ伝送速度を有する受信クロックを抽出する受信クロック抽出回路部と、
該受信クロック抽出回路部から抽出される受信クロックに基づき、前記送信用の周期的コードと同等の受信用の非周期的コードを生成する受信用コード発生器と、
前記の受信したコード変調信号に該受信用の非周期的コードを乗算して前記データを復元するための受信用乗算器とを備えることを特徴とするデータ通信システム。
（付記１４）  前記データ通信システムが、さらに、前記の復元されたデータと前記受信用の非周期的コードとの同期化を行い、該データとのコード同期がとれた受信データを出力するための受信データ同期回路部を備える付記１３記載のデータ通信システム。
（付記１５）  送信の対象とする複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数種のビットクロック、および前記複数種の送信クロックの同期をとることなく、前記複数種のコード変調信号を重ねて送信することを特徴とするデータ通信システム。
（付記１６）  前記データ通信システムが、さらに、前記の復元された複数種のデータの各々と前記受信用の周期的コードとの同期化を行い、該複数種のデータの各々とのコード同期がとれた受信データを出力するための受信データ同期回路部を備える付記１５記載のデータ通信システム。
（付記１７）  複数の階層からなるネットワークにおける任意の一つの階層に属する前記送信用疑似ランダムパルス発生器および前記送信用乗算器から、他の階層に属する前記受信クロック抽出回路部、前記受信用疑似ランダムパルス発生器および前記受信用乗算器へ前記複数種のコード変調信号を伝送するように構成される付記１５記載のデータ通信システム。
（付記１８）  送信の対象とする複数種のデータにそれぞれ対応する複数種のビットクロックよりも速い伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数種のビットクロック、および前記複数種の送信クロックの同期をとることなく、前記複数種のコード変調信号を重ねて送信することを特徴とするデータ通信システム。
（付記１９）  前記データ通信システムが、さらに、前記の復元された複数種のデータの各々と前記受信用の周期的コードとの同期化を行い、該複数種のデータの各々とのコード同期がとれた受信データを出力するための受信データ同期回路部を備える付記１８記載のデータ通信システム。
（付記２０）  複数の階層からなるネットワークにおける任意の一つの階層に属する前記送信用疑似ランダムパルス発生器および前記送信用乗算器から、他の階層に属する前記受信クロック抽出回路部、前記受信用疑似ランダムパルス発生器および前記受信用乗算器へ前記複数種のコード変調信号を伝送するように構成される付記１８記載のデータ通信システム。
（付記２１）  送信の対象とする複数種のデータにそれぞれ対応する複数種のビットクロックよりも速い伝送速度を有する複数種の送信クロックに基づき、周波数帯域が拡散された複数種の送信用の非周期的コードをそれぞれ生成する複数種の送信用コード発生器と、
該複数種のデータの各ビットに該複数種の送信用の非周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の非周期的コードと同等の受信用の非周期的コードを生成する受信用コード発生器と、
前記の受信した複数種のコード変調信号の各々に該受信用の非周期的コードを乗算して前記複数種のデータの各々を復元するための受信用乗算器とを備え、
前記複数種のビットクロック、および前記複数種の送信クロックの同期をとることなく、前記複数種のコード変調信号を重ねて送信することを特徴とするデータ通信システム。
（付記２２）  前記データ通信システムが、さらに、前記の復元されたデータと前記受信用の非周期的コードとの同期化を行い、該データとのコード同期がとれた受信データを出力するための受信データ同期回路部を備える付記２１記載のデータ通信システム。
（付記２３）  複数の階層からなるネットワークにおける任意の一つの階層に属する前記送信用コード発生器および前記送信用乗算器から、他の階層に属する前記受信クロック抽出回路部、前記受信用コード発生器および前記受信用乗算器へ前記複数種のコード変調信号を伝送するように構成される付記２１記載のデータ通信システム。
（付記２４）  送信の対象とする複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数種のビットクロック、および前記複数種の送信クロックの少なくとも一方の各々の位相を他の位相から所定の値だけずらすことにより、前記複数種のコード変調信号を重ねて送信することを特徴とするデータ通信システム。
（付記２５）  前記データ通信システムが、さらに、前記の復元された複数種のデータの各々と前記受信用の周期的コードとの同期化を行い、該複数種のデータの各々とのコード同期がとれた受信データを出力するための受信データ同期回路部を備える付記２４記載のデータ通信システム。
（付記２６）  複数の階層からなるネットワークにおける任意の一つの階層に属する前記送信用疑似ランダムパルス発生器および前記送信用乗算器から、他の階層に属する前記受信クロック抽出回路部、前記受信用疑似ランダムパルス発生器および前記受信用乗算器へ前記複数種のコード変調信号を伝送するように構成される付記２４記載のデータ通信システム。
（付記２７）  送信の対象とする複数種のデータにそれぞれ対応する複数種のビットクロックよりも速い伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数種のビットクロック、および前記複数種の送信クロックの少なくとも一方の各々の位相を他の位相から所定の値だけずらすことにより、前記複数種のコード変調信号を重ねて送信することを特徴とするデータ通信システム。
（付記２８）  前記データ通信システムが、さらに、前記の復元された複数種のデータの各々と前記受信用の周期的コードとの同期化を行い、該複数種のデータの各々とのコード同期がとれた受信データを出力するための受信データ同期回路部を備える付記２７記載のデータ通信システム。
（付記２９）  複数の階層からなるネットワークにおける任意の一つの階層に属する前記送信用疑似ランダムパルス発生器および前記送信用乗算器から、他の階層に属する前記受信クロック抽出回路部、前記受信用疑似ランダムパルス発生器および前記受信用乗算器へ前記複数種のコード変調信号を伝送するように構成される付記２７記載のデータ通信システム。
（付記３０）  送信の対象とする複数種のデータにそれぞれ対応する複数種のビットクロックよりも速い伝送速度を有する複数種の送信クロックに基づき、周波数帯域が拡散された複数種の送信用の非周期的コードをそれぞれ生成する複数種の送信用コード発生器と、
該複数種のデータの各ビットに該複数種の送信用の非周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の非周期的コードと同等の受信用の非周期的コードを生成する受信用コード発生器と、
前記の受信した複数種のコード変調信号の各々に該受信用の非周期的コードを乗算して前記複数種のデータの各々を復元するための受信用乗算器とを備え、
前記複数種のビットクロック、および前記複数種の送信クロックの少なくとも一方の各々の位相を他の位相から所定の値だけずらすことにより、前記複数種のコード変調信号を重ねて送信することを特徴とするデータ通信システム。
（付記３１）  前記データ通信システムが、さらに、前記の復元されたデータと前記受信用の非周期的コードとの同期化を行い、該データとのコード同期がとれた受信データを出力するための受信データ同期回路部を備える付記３０記載のデータ通信システム。
（付記３２）  複数の階層からなるネットワークにおける任意の一つの階層に属する前記送信用コード発生器および前記送信用乗算器から、他の階層に属する前記受信クロック抽出回路部、前記受信用コード発生器および前記受信用乗算器へ前記複数種のコード変調信号を伝送するように構成される付記３０記載のデータ通信システム。
（付記３３）  ネットワークを構成する複数の分岐点において、
送信の対象とする複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とが設けられ、
前記複数の分岐点に対し前記複数種の送信用の周期的コードをそれぞれ割り当て、該分岐点毎に対応する前記周期的コードの内容および位相を予め変えておくことを特徴とするデータ通信システム。
（付記３４）  前記データ通信システムが、さらに、前記の復元された複数種のデータの各々と前記受信用の周期的コードとの同期化を行い、該複数種のデータの各々とのコード同期がとれた受信データを出力するための受信データ同期回路部を備える付記３３記載のデータ通信システム。
（付記３５）  ネットワークを構成する複数の分岐点において、
送信の対象とする複数種のデータにそれぞれ対応する複数種のビットクロックよりも速い伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の受信用の非周期的コードを生成する受信用コード発生器と、
前記の受信した複数種のコード変調信号の各々に該受信用の周期的コードを乗算して前記複数種のデータの各々を復元するための受信用乗算器とが設けられ、
前記複数の分岐点に対し前記複数種の送信用の周期的コードをそれぞれ割り当て、該分岐点毎に対応する前記周期的コードの内容および位相を予め変えておくことを特徴とするデータ通信システム。
（付記３６）  前記データ通信システムが、さらに、前記の復元された複数種のデータの各々と前記受信用の周期的コードとの同期化を行い、該複数種のデータの各々とのコード同期がとれた受信データを出力するための受信データ同期回路部を備える付記３５記載のデータ通信システム。
（付記３７）  ネットワークを構成する複数の分岐点において、
送信の対象とする複数種のデータにそれぞれ対応する複数種のビットクロックよりも速い伝送速度を有する複数種の送信クロックに基づき、周波数帯域が拡散された複数種の送信用の非周期的コードをそれぞれ生成する複数種の送信用コード発生器と、
該複数種のデータの各ビットに該複数種の送信用の非周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の非周期的コードと同等の受信用の非周期的コードを生成する受信用コード発生器と、
前記の受信した複数種のコード変調信号の各々に該受信用の非周期的コードを乗算して前記複数種のデータの各々を復元するための受信用乗算器とが設けられ、
前記複数の分岐点に対し前記複数種の送信用の非周期的コードをそれぞれ割り当て、該分岐点毎に対応する前記非周期的コードの内容および位相を予め変えておくことを特徴とするデータ通信システム。
（付記３８）  前記データ通信システムが、さらに、前記の復元された複数種のデータの各々と前記受信用の非周期的コードとの同期化を行い、該複数種のデータの各々とのコード同期がとれた受信データを出力するための受信データ同期回路部を備える付記３７記載のデータ通信システム。
（付記３９）  ネットワークを構成する複数の分岐点において、
送信の対象とする複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とが設けられ、
前記複数の分岐点中の全ての分岐点または多くの分岐点を通過する共通の周期的コードを割り当てることを特徴とするデータ通信システム。
（付記４０）  前記データ通信システムが、さらに、前記の復元された複数種のデータの各々と前記受信用の周期的コードとの同期化を行い、該複数種のデータの各々とのコード同期がとれた受信データを出力するための受信データ同期回路部を備える付記３９記載のデータ通信システム。
（付記４１）  ネットワークを構成する複数の分岐点において、
送信の対象とする送信の対象とする複数種のデータにそれぞれ対応する複数種のビットクロックよりも速い伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とが設けられ、
前記複数の分岐点中の全ての分岐点または多くの分岐点を通過する共通の周期的コードを割り当てることを特徴とするデータ通信システム。
（付記４２）  前記データ通信システムが、さらに、前記の復元された複数種のデータの各々と前記受信用の周期的コードとの同期化を行い、該複数種のデータの各々とのコード同期がとれた受信データを出力するための受信データ同期回路部を備える付記４１記載のデータ通信システム。
（付記４３）  ネットワークを構成する複数の分岐点において、
送信の対象とする複数種のデータにそれぞれ対応する複数種のビットクロックよりも速い伝送速度を有する複数種の送信クロックに基づき、周波数帯域が拡散された複数種の送信用の非周期的コードをそれぞれ生成する複数種の送信用コード発生器と、
該複数種のデータの各ビットに該複数種の送信用の非周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の非周期的コードと同等の受信用の非周期的コードを生成する受信用コード発生器と、
前記の受信した複数種のコード変調信号の各々に該受信用の非周期的コードを乗算して前記複数種のデータの各々を復元するための受信用乗算器とが設けられ、
前記複数の分岐点中の全ての分岐点または多くの分岐点を通過する共通の非周期的コードを割り当てることを特徴とするデータ通信システム。
（付記４４）  前記データ通信システムが、さらに、前記の復元された複数種のデータの各々と前記受信用の非周期的コードとの同期化を行い、該複数種のデータの各々とのコード同期がとれた受信データを出力するための受信データ同期回路部を備える付記４３記載のデータ通信システム。
（付記４５）  ネットワークを構成する複数の分岐点に接続され、かつ、相互に複数種のデータの送信および受信を行う複数のデータ通信部と、該複数のデータ通信部の各々を制御する一つの中央制御部とを有するデータ通信システムにおいて、
該複数のデータ通信部の各々は、
送信の対象とする該複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数の分岐点に対し前記複数種の送信用の周期的コードをそれぞれ割り当て、該分岐点毎に対応する前記周期的コードの内容および位相を予め変えておき、
前記中央制御部から目的のアドレスを前記複数の分岐点に送付し、該アドレスと一致したアドレスを有する前記周期的コードが割り当てられた分岐点に接続されるデータ通信部によって、前記データの送信および受信が行われることを特徴とするデータ通信システム。
（付記４６）  前記データ通信システムが、さらに、前記の復元された複数種のデータの各々と前記受信用の周期的コードとの同期化を行い、該複数種のデータの各々とのコード同期がとれた受信データを出力するための受信データ同期回路部を備える付記４５記載のデータ通信システム。
（付記４７）  前記複数の分岐点の各々が、前記周期的コードの候補を何通りか予め持っており、前記データ通信部によって所定の周期的コードが選択される付記４５記載のデータ通信システム。
（付記４８）  前記複数種の送信用の周期的コードの一部または全部が、前記中央制御部から送信される付記４５記載のデータ通信システム。
（付記４９）  前記複数のデータ通信部と前記中央制御部とを接続する伝送線路が、複線にて構成される付記４５記載のデータ通信システム。
（付記５０）  前記複線からなる伝送線路の全部または一部が、双方向に前記複数種のデータを伝送するように構成される付記４９記載のデータ通信システム。
（付記５１）  低速にて伝送される形式の前記複数種のデータの通信を行う場合は、長いビット長の前記周期的コードを用い、高速にて伝送される形式の前記複数種のデータの通信を行う場合は、短いビット長の前記周期的コードを用いる付記４５記載のデータ通信システム。
（付記５２）  前記の短いビット長の周期的コードと、前記の長いビット長の周期的コードの一部であって該短いビット長の周期的コードのパターンと不一致であり、かつ、該短いビット長の周期的コードのコード長に等しい部分のコードとのハミング距離の最小値が大きくとれる付記５０記載のデータ通信システム。
（付記５３）  前記ネットワーク内の同じレベルの前記周期的コードの調停を行う場合、任意のデータ通信部が現在使用している周期的コードまたは当該周期的コードの認識番号を前記ネットワーク内の他の全てのデータ通信部に通知する付記４５記載のデータ通信システム。
（付記５４）  前記ネットワーク内の同じレベルの前記周期的コードの調停を行う場合、任意のデータ通信部が現在使用している周期的コードまたは当該周期的コードの認識番号を前記ネットワーク内の他の全てのデータ通信部に通知すると共に、今後使用する予定の周期的コードまたは当該周期的コードの認識番号を他の全てのデータ通信部に順次送り込み、該他の全てのデータ通信部にて承認されたことをもって前記複数種のデータの送信を開始する付記４５記載のデータ通信システム。
（付記５５）  前記任意のデータ通信部が使用すべき周期的コードを決定するに際し、他のレベルの周期的コードを使用している他のデータ通信部の指示または選択を許容する付記５３記載のデータ通信システム。
（付記５６）  前記複数種の送信クロックを互いに同期させることによって前記複数種のコード変調信号を多重化する付記４５記載のデータ通信システム。
（付記５７）  全ての前記周期的コードのコード長が同じであるか、または使用される前記周期的コードのコード長が全て所定の長さの約数になっている場合、前記複数種のデータのビットクロックの同期をとるか、または該ビットクロックの位相を前記送信クロック単位でずらす付記４５記載のデータ通信システム。
（付記５８）  前記複数種のデータのビットクロック、および前記複数種の送信クロックの同期をとることなく前記複数種のコード変調信号を多重化する付記４５記載のデータ通信システム。
（付記５９）  ネットワークを構成する複数の分岐点に接続され、かつ、相互に複数種のデータの送信および受信を行う複数のデータ通信部と、該複数のデータ通信部の各々を制御する一つの中央制御部とを有するデータ通信システムにおいて、
該複数のデータ通信部の各々は、
送信の対象とする該複数種のデータにそれぞれ対応する複数種のビットクロックよりも速い伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数の分岐点に対し前記複数種の送信用の周期的コードをそれぞれ割り当て、該分岐点毎に対応する前記周期的コードの内容および位相を予め変えておき、
前記中央制御部から目的のアドレスを前記複数の分岐点に送付し、該アドレスと一致したアドレスを有する前記周期的コードが割り当てられた分岐点に接続されるデータ通信部によって、前記データの送信および受信が行われることを特徴とするデータ通信システム。
（付記６０）  前記データ通信システムが、さらに、前記の復元された複数種のデータの各々と前記受信用の周期的コードとの同期化を行い、該複数種のデータの各々とのコード同期がとれた受信データを出力するための受信データ同期回路部を備える付記５９記載のデータ通信システム。
（付記６１）  ネットワークを構成する複数の分岐点に接続され、かつ、相互に複数種のデータの送信および受信を行う複数のデータ通信部と、該複数のデータ通信部の各々を制御する一つの中央制御部とを有するデータ通信システムにおいて、
該複数のデータ通信部の各々は、
送信の対象とする該複数種のデータにそれぞれ対応する複数種のビットクロックよりも速い伝送速度を有する複数種の送信クロックに基づき、周波数帯域が拡散された複数種の送信用の非周期的コードをそれぞれ生成する複数種の送信用コード発生器と、
該複数種のデータの各ビットに該複数種の送信用の非周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の非周期的コードと同等の受信用の非周期的コードを生成する受信用コード発生器と、
前記の受信した複数種のコード変調信号の各々に該受信用の非周期的コードを乗算して前記複数種のデータの各々を復元するための受信用乗算器とを備え、
前記複数の分岐点に対し前記複数種の送信用の非周期的コードをそれぞれ割り当て、該分岐点毎に対応する前記非周期的コードの内容および位相を予め変えておき、
前記中央制御部から目的のアドレスを前記複数の分岐点に送付し、該アドレスと一致したアドレスを有する前記非周期的コードが割り当てられた分岐点に接続されるデータ通信部によって、前記データの送信および受信が行われることを特徴とするデータ通信システム。
（付記６２）  前記データ通信システムが、さらに、前記の復元された複数種のデータの各々と前記受信用の非周期的コードとの同期化を行い、該複数種のデータの各々とのコード同期がとれた受信データを出力するための受信データ同期回路部を備える付記６１記載のデータ通信システム。
（付記６３）  ネットワークを構成する複数の分岐点に接続され、かつ、相互に複数種のデータの送信および受信を行う複数のデータ通信部と、該複数のデータ通信部の各々を制御する一つの中央制御部とを有するデータ通信システムにおいて、
該複数のデータ通信部の各々は、
送信の対象とする該複数種のデータにそれぞれ対応する複数種のビットクロックの任意の整数倍の伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数の分岐点中の全ての分岐点または多くの分岐点を通過する共通の周期的コードを割り当て、
前記中央制御部から目的のアドレスを前記複数の分岐点に送付し、該アドレスと一致したアドレスを有する前記共通の周期的コードが割り当てられた分岐点に接続されるデータ通信部によって、前記データの送信および受信が行われることを特徴とするデータ通信システム。
（付記６４）  前記データ通信システムが、さらに、前記の復元された複数種のデータの各々と前記受信用の周期的コードとの同期化を行い、該複数種のデータの各々とのコード同期がとれた受信データを出力するための受信データ同期回路部を備える付記６３記載のデータ通信システム。
（付記６５）  前記複数の分岐点の各々が、前記共通の周期的コードの候補を何通りか予め持っており、前記データ通信部によって所定の周期的コードが選択される付記６３記載のデータ通信システム。
（付記６６）  前記複数種の送信用の周期的コードの一部または全部が、前記中央制御部から送信される付記６３記載のデータ通信システム。
（付記６７）  前記複数のデータ通信部と前記中央制御部とを接続する伝送線路が、複線にて構成される付記６３記載のデータ通信システム。
（付記６８）  前記複線からなる伝送線路の全部または一部が、双方向に前記複数種のデータを伝送するように構成される付記６７記載のデータ通信システム。
（付記６９）  低速にて伝送される形式の前記複数種のデータの通信を行う場合は、長いビット長の前記周期的コードを用い、高速にて伝送される形式の前記複数種のデータの通信を行う場合は、短いビット長の前記周期的コードを用いる付記６３記載のデータ通信システム。
（付記７０）  前記の短いビット長の周期的コードと、前記の長いビット長の周期的コードの一部であって該短いビット長の周期的コードのパターンと不一致であり、かつ、該短いビット長の周期的コードのコード長に等しい部分のコードとのハミング距離の最小値が大きくとれる付記６８記載のデータ通信シシステム。
（付記７１）  前記ネットワーク内の同じレベルの前記周期的コードの調停を行う場合、任意のデータ通信部が現在使用している周期的コードまたは当該周期的コードの認識番号を前記ネットワーク内の他の全てのデータ通信部に通知する付記６３記載のデータ通信システム。
（付記７２）  前記ネットワーク内の同じレベルの前記周期的コードの調停を行う場合、任意のデータ通信部が現在使用している周期的コードまたは当該周期的コードの認識番号を前記ネットワーク内の他の全てのデータ通信部に通知すると共に、今後使用する予定の周期的コードまたは当該周期的コードの認識番号を他の全てのデータ通信部に順次送り込み、該他の全てのデータ通信部にて承認されたことをもって前記複数種のデータの送信を開始する付記６３記載のデータ通信システム。
（付記７３）  前記任意のデータ通信部が使用すべき周期的コードを決定するに際し、他のレベルの周期的コードを使用している他のデータ通信部の指示または選択を許容する付記７１記載のデータ通信システム。
（付記７４）  前記複数種の送信クロックを互いに同期させることによって前記複数種のコード変調信号を多重化する付記６３記載のデータ通信システム。
（付記７５）  全ての前記周期的コードのコード長が同じであるか、または使用される前記周期的コードのコード長が全て所定の長さの約数になっている場合、前記複数種のデータのビットクロックの同期をとるか、または該ビットクロックの位相を前記送信クロック単位でずらす付記６３記載のデータ通信システム。
（付記７６）  前記複数種のデータのビットクロック、および前記複数種の送信クロックの同期をとることなく前記複数種のコード変調信号を多重化する付記６３記載のデータ通信システム。
（付記７７）  ネットワークを構成する複数の分岐点に接続され、かつ、相互に複数種のデータの送信および受信を行う複数のデータ通信部と、該複数のデータ通信部の各々を制御する一つの中央制御部とを有するデータ通信システムにおいて、
該複数のデータ通信部の各々は、
送信の対象とする該複数種のデータにそれぞれ対応する複数種のビットクロックよりも速い伝送速度を有する複数種の送信クロックに基づき、周波数帯域が拡散された疑似ランダムパルスからなる複数種の送信用の周期的コードをそれぞれ生成する複数種の送信用疑似ランダムパルス発生器と、
該複数種のデータの各ビットに該複数種の送信用の周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の周期的コードと同等の疑似ランダムパルスからなる受信用の周期的コードを生成する受信用疑似ランダムパルス発生器と、
前記の受信した複数種のコード変調信号の各々に該受信用の周期的コードを乗算して前記複数種のデータの各々を復元するための受信用乗算器とを備え、
前記複数の分岐点中の全ての分岐点または多くの分岐点を通過する共通の周期的コードを割り当て、
前記中央制御部から目的のアドレスを前記複数の分岐点に送付し、該アドレスと一致したアドレスを有する前記共通の周期的コードが割り当てられた分岐点に接続されるデータ通信部によって、前記データの送信および受信が行われることを特徴とするデータ通信システム。
（付記７８）  前記データ通信システムが、さらに、前記の復元された複数種のデータの各々と前記受信用の周期的コードとの同期化を行い、該複数種のデータの各々とのコード同期がとれた受信データを出力するための受信データ同期回路部を備える付記７７記載のデータ通信システム。
（付記７９）  ネットワークを構成する複数の分岐点に接続され、かつ、相互に複数種のデータの送信および受信を行う複数のデータ通信部と、該複数のデータ通信部の各々を制御する一つの中央制御部とを有するデータ通信システムにおいて、
該複数のデータ通信部の各々は、
送信の対象とする該複数種のデータにそれぞれ対応する複数種のビットクロックよりも速い伝送速度を有する複数種の送信クロックに基づき、周波数帯域が拡散された複数種の送信用の非周期的コードをそれぞれ生成する複数種の送信用コード発生器と、
該複数種のデータの各ビットに該複数種の送信用の非周期的コードをそれぞれ乗算して複数種のコード変調信号を生成するための複数種の送信用乗算器と、
該複数種のコード変調信号を受信し、該受信した複数種のコード変調信号の各々から、前記複数種のビットクロックの各々と同じ伝送速度を有する受信クロックを抽出する受信クロック抽出回路部と、
該受信クロック抽出回路部から抽出される受信クロックに基づき、前記複数種の送信用の各々の非周期的コードと同等の受信用の非周期的コードを生成する受信用コード発生器と、
前記の受信した複数種のコード変調信号の各々に該受信用の非周期的コードを乗算して前記複数種のデータの各々を復元するための受信用乗算器とを備え、
前記複数の分岐点中の全ての分岐点または多くの分岐点を通過する共通の非周期的コードを割り当て、
前記中央制御部から目的のアドレスを前記複数の分岐点に送付し、該アドレスと一致したアドレスを有する前記非周期的コードが割り当てられた分岐点に接続されるデータ通信部によって、前記データの送信および受信が行われることを特徴とするデータ通信システム。
（付記８０）  前記データ通信システムが、さらに、前記の復元された複数種のデータの各々と前記受信用の非周期的コードとの同期化を行い、該複数種のデータの各々とのコード同期がとれた受信データを出力するための受信データ同期回路部を備える付記７９記載のデータ通信システム。
【手続補正１６】
【補正対象書類名】明細書
【補正対象項目名】０１２６
【補正方法】変更
【補正の内容】
【０１２６】
【発明の効果】
以上説明したように、本発明のデータ通信システムによれば、第１に、送信の対象とするデータのビットクロックよりも速い伝送速度を有する送信クロックに基づき生成される拡散コード等の変調コードを利用したコード変調を行ってネットワーク内のデータ通信を統一的に管理することができるので、複数のＡＴＭスイッチの複雑な制御を必要とするＡＴＭ交換機を設けることなく、従来よりも簡単な回路構成でもって高速通信用のネットワークや低速通信用のネットワーク毎にデータのパケットの長さを調整したり、データの通信速度の変更要求等に対しデータのパケットの長さを変更したりすることが容易に行えるようになる。


【手続補正１７】
【補正対象書類名】図面
【補正対象項目名】図９
【補正方法】変更
【補正の内容】
【図９】
1998322308.tif 000001